(57)【要約】【課題】受信データの変調方式にかかわらず適応的に利得を制御することができる受信装置及び受信方法を提供する。【解決手段】送信装置から送信される、振幅の変化を伴わない変調方式で変調された制御データ区間２１と、所定の変調方式で変調されたユーザデータ区間２２とを含む受信データ２０を受信する受信装置１であって、所定の変調方式が、振幅の変化を伴う変調方式である場合、受信データ２０における電力測定区間を制御データ区間２１に設定し、電力測定区間で測定した受信電力に基づき、最大振幅を算出する制御部１６２と、最大振幅に基づき、次フレームで受信した受信信号の増幅処理をする増幅部１２の利得を制御する利得制御部１６３とを備える。【選択図】図１
2014107728.tif 000002
【特許請求の範囲】
【請求項１】
振幅の変化を伴わない変調方式で変調された制御データ区間と、所定の変調方式で変調されたユーザデータ区間とを含む受信データを受信する受信装置であって、
前記所定の変調方式が、振幅の変化を伴う変調方式である場合、前記受信データにおける電力測定区間を前記制御データ区間に設定し、該電力測定区間で測定した受信電力に基づき、最大振幅を算出する制御部と、
前記最大振幅に基づき、次フレームで受信した受信信号の増幅処理をする増幅部の利得を制御する利得制御部と、
を備える受信装置。
【請求項２】
振幅の変化を伴わない変調方式で変調された制御データ区間と、所定の変調方式で変調されたユーザデータ区間とを含む受信データを受信する受信装置であって、
前記所定の変調方式が、振幅の変化を伴う変調方式ではない場合、前記受信データにおける電力測定区間を前記ユーザデータ区間に設定し、該電力測定区間で測定した受信電力に基づき、最大振幅を算出する制御部と、
前記最大振幅に基づき、次フレームで受信した受信信号の増幅処理をする増幅部の利得を制御する利得制御部と、
を備える受信装置。
【請求項３】
前記制御部はさらに、ユーザデータ区間におけるフェージングの有無を検出し、フェージングが生じている場合、前記制御データ区間における受信電力に基づき最大振幅を算出し、前記制御データ区間から算出した最大振幅及び前記ユーザデータ区間から算出した最大振幅に基づき予測電力を算出し、
前記利得制御部は、前記予測電力に基づき前記増幅部の利得を制御する、請求項２に記載の受信装置。
【請求項４】
前記受信装置はさらに直近のフレームで増幅処理を行った際の最大振幅を記憶する記憶部を備え、
前記制御データ区間から算出した最大振幅と、前記制御部は前記ユーザデータ区間から算出した最大振幅と、前記記憶部に記憶された前記直近のフレームで増幅処理を行った際の最大振幅とに基づき予測電力を算出することを特徴とする、請求項３に記載の受信装置。
【請求項５】
前記制御データ区間における電力測定は、該制御データ区間のプリアンブル区間において行うことを特徴とする、請求項１、３又は４のいずれか一項に記載の受信装置。
【請求項６】
振幅の変化を伴わない変調方式で変調された制御データ区間と、所定の変調方式で変調されたユーザデータ区間とを含む受信データを受信する受信方法であって、
前記所定の変調方式が、振幅の変化を伴う変調方式である場合、前記受信データにおける電力測定区間を前記制御データ区間に設定し、該電力測定区間で測定した受信電力に基づき、最大振幅を算出するステップと、
前記最大振幅に基づき、次フレームで受信した受信信号の増幅処理をする増幅部の利得を制御するステップと、
を含む受信方法。
【請求項７】
振幅の変化を伴わない変調方式で変調された制御データ区間と、所定の変調方式で変調されたユーザデータ区間とを含む受信データを受信する受信方法であって、
前記所定の変調方式が、振幅の変化を伴う変調方式ではない場合、前記受信データにおける電力測定区間を前記ユーザデータ区間に設定し、該電力測定区間で測定した受信電力に基づき、最大振幅を算出するステップと、
前記最大振幅に基づき、次フレームで受信した受信信号の増幅処理をする増幅部の利得を制御するステップと、
を含む受信方法。
【請求項８】
前記受信方法はさらに、ユーザデータ区間におけるフェージングの有無を検出するステップと、
フェージングが生じている場合、前記制御データ区間における受信電力に基づき最大振幅を算出し、前記制御データ区間から算出した最大振幅及び前記ユーザデータ区間から算出した最大振幅に基づき予測電力を算出するステップと、
前記利得を制御するステップは、前記予測電力に基づき前記増幅部の利得を制御することを特徴とする、請求項７に記載の受信方法。
【請求項９】
前記受信方法はさらに直近のフレームで増幅処理を行った際の最大振幅を記憶するステップを含み、
前記予測電力を算出するステップは、前記制御データ区間から算出した最大振幅と、前記制御部は前記ユーザデータ区間から算出した最大振幅と、前記記憶ステップで記憶された前記直近のフレームで増幅処理を行った際の最大振幅とに基づき予測電力を算出することを特徴とする、請求項８に記載の受信方法。
【請求項１０】
前記制御データ区間における電力測定は、該制御データ区間のプリアンブル区間において行うことを特徴とする、請求項６、８又は９のいずれか一項に記載の受信方法。
【発明の詳細な説明】
【技術分野】
【０００１】
本発明は、利得を制御する受信装置及び受信方法に関する。
【背景技術】
【０００２】
従来無線装置において、信号復調部に最適な電力レベルの受信信号を供給するために、現在受信したフレームの電力を基に、次のフレームの利得を制御（自動利得制御）していた（例えば特許文献１）。
【先行技術文献】
【特許文献】
【０００３】
【特許文献１】特開２００６−１９７６５２号公報
【発明の概要】
【発明が解決しようとする課題】
【０００４】
受信データが例えばＱＡＭ等の変調方式により変調された部分を含む場合の従来の無線装置の動作について説明する。図８は受信データがＱＰＳＫとＱＡＭにより変調されている例を示す。従来の無線装置は、受信データの略中央部の区間を電力測定区間とし、当該区間の電力を元に現在受信したフレームの電力を算出し、次のフレームの利得を制御する。しかしながら、受信データの略中央部の区間はＱＡＭにより変調されているため、変調方式による振幅の変化が含まれてしまい、正確な受信電力を算出することができず、適切な利得を得ることができない。そのため、従来の無線装置は、次フレームにおける利得制御において受信信号の振幅を適切なレベルに調整できず、受信エラーが生じてしまっていた。
【０００５】
従って、上記のような問題点に鑑みてなされた本発明の目的は、受信データの変調方式にかかわらず適応的に利得を制御することができる受信装置及び受信方法を提供することにある。
【課題を解決するための手段】
【０００６】
上記課題を解決するために本発明に係る受信装置は、
振幅の変化を伴わない変調方式で変調された制御データ区間と、所定の変調方式で変調されたユーザデータ区間とを含む受信データを受信する受信装置であって、
前記所定の変調方式が、振幅の変化を伴う変調方式である場合、前記受信データにおける電力測定区間を前記制御データ区間に設定し、該電力測定区間で測定した受信電力に基づき、最大振幅を算出する制御部と、
前記最大振幅に基づき、次フレームで受信した受信信号の増幅処理をする増幅部の利得を制御する利得制御部と、
を備えることを特徴とする。
【０００７】
また、本発明に係る受信装置は、
振幅の変化を伴わない変調方式で変調された制御データ区間と、所定の変調方式で変調されたユーザデータ区間とを含む受信データを受信する受信装置であって、
前記所定の変調方式が、振幅の変化を伴う変調方式ではない場合、前記受信データにおける電力測定区間を前記ユーザデータ区間に設定し、該電力測定区間で測定した受信電力に基づき、最大振幅を算出する制御部と、
前記最大振幅に基づき、次フレームで受信した受信信号の増幅処理をする増幅部の利得を制御する利得制御部と、
を備えることを特徴とする。
【０００８】
また、本発明に係る受信装置は、
前記制御部はさらに、ユーザデータ区間におけるフェージングの有無を検出し、フェージングが生じている場合、前記制御データ区間における受信電力に基づき最大振幅を算出し、前記制御データ区間から算出した最大振幅及び前記ユーザデータ区間から算出した最大振幅に基づき予測電力を算出し、
前記利得制御部は、前記予測電力に基づき前記増幅部の利得を制御することを特徴とする。
【０００９】
また、本発明に係る受信装置は、
前記受信装置はさらに直近のフレームで増幅処理を行った際の最大振幅を記憶する記憶部を備え、
前記制御データ区間から算出した最大振幅と、前記制御部は前記ユーザデータ区間から算出した最大振幅と、前記記憶部に記憶された前記直近のフレームで増幅処理を行った際の最大振幅とに基づき予測電力を算出することを特徴とする。
【００１０】
また、本発明に係る受信装置は、
前記制御データ区間における電力測定は、該制御データ区間のプリアンブル区間において行うことを特徴とする。
【００１１】
また、本発明に係る受信方法は、
振幅の変化を伴わない変調方式で変調された制御データ区間と、所定の変調方式で変調されたユーザデータ区間とを含む受信データを受信する受信方法であって、
前記所定の変調方式が、振幅の変化を伴う変調方式である場合、前記受信データにおける電力測定区間を前記制御データ区間に設定し、該電力測定区間で測定した受信電力に基づき、最大振幅を算出するステップと、
前記最大振幅に基づき、次フレームで受信した受信信号の増幅処理をする増幅部の利得を制御するステップと、
を含むことを特徴とする。
【００１２】
また、本発明に係る受信方法は、
振幅の変化を伴わない変調方式で変調された制御データ区間と、所定の変調方式で変調されたユーザデータ区間とを含む受信データを受信する受信方法であって、
前記所定の変調方式が、振幅の変化を伴う変調方式ではない場合、前記受信データにおける電力測定区間を前記ユーザデータ区間に設定し、該電力測定区間で測定した受信電力に基づき、最大振幅を算出するステップと、
前記最大振幅に基づき、次フレームで受信した受信信号の増幅処理をする増幅部の利得を制御するステップと、
を含むことを特徴とする。
【００１３】
また、本発明に係る受信方法は、
前記受信方法はさらに、ユーザデータ区間におけるフェージングの有無を検出するステップと、
フェージングが生じている場合、前記制御データ区間における受信電力に基づき最大振幅を算出し、前記制御データ区間から算出した最大振幅及び前記ユーザデータ区間から算出した最大振幅に基づき予測電力を算出するステップと、
前記利得を制御するステップは、前記予測電力に基づき前記増幅部の利得を制御することを特徴とする。
【００１４】
また、本発明に係る受信方法は、
前記受信方法はさらに直近のフレームで増幅処理を行った際の最大振幅を記憶するステップを含み、
前記予測電力を算出するステップは、前記制御データ区間から算出した最大振幅と、前記制御部は前記ユーザデータ区間から算出した最大振幅と、前記記憶ステップで記憶された前記直近のフレームで増幅処理を行った際の最大振幅とに基づき予測電力を算出することを特徴とする。
【００１５】
また、本発明に係る受信方法は、
前記制御データ区間における電力測定は、該制御データ区間のプリアンブル区間において行うことを特徴とする。
【発明の効果】
【００１６】
本発明における受信装置及び受信方法によれば、受信データの変調方式にかかわらず適応的に利得を制御することができる。
【図面の簡単な説明】
【００１７】
【図１】実施の形態１の受信装置のブロック図である。
【図２】受信データのデータ構造の例を示す図である。
【図３】実施の形態１の受信装置の動作を示すフローチャートである。
【図４】実施の形態２の受信装置のブロック図である。
【図５】実施の形態２の受信装置の動作を示すフローチャートである。
【図６】実施の形態３の受信装置のブロック図である。
【図７】実施の形態３の受信装置の動作を示すフローチャートである。
【図８】受信データの例を示す図である。
【発明を実施するための形態】
【００１８】
以下、本発明の実施の形態について説明する。
【００１９】
（実施の形態１）
図１は本発明の実施の形態１に係る受信装置のブロック図である。本発明の実施の形態１に係る受信装置１は、複数の受信アンテナ１１と、複数の増幅部（ＡＭＰ）１２と、複数のアナログ／デジタル変換部（Ａ／Ｄ）１３と、複数の乗算部１４と、合成部１５と、受信部１６とを備える。受信部１６は、復調部１６１と、制御部１６２と、利得制御部１６３とを備え、受信データ２０に係る各種制御を行う。受信装置１は移動局装置や基地局装置等である。
【００２０】
各受信アンテナ１１は、送信装置から送信される受信信号を受信する。各増幅部１２は、各受信アンテナ１１から受けた受信信号を利得制御部１６３の制御に基づき、増幅処理をする。そして各増幅部１２は、増幅した受信信号を各アナログ／デジタル変換部１３に渡す。
【００２１】
各アナログ／デジタル変換部１３は、増幅された受信信号を受取ると、当該受信信号をアナログからデジタルに変換し、受信データ２０を出力する。そして各アナログ／デジタル変換部１３は、受信データ２０を各乗算部１４及び利得制御部１６３に渡す。
【００２２】
各乗算部１４は、アナログ／デジタル変換部１３から受取った受信データ２０に、受信アンテナ１１毎に定められる重み係数を乗算し、合成部１５に渡す。合成部１５は、各アンテナが受信し、重み係数が乗算された受信データ２０を合成し、受信部１６の復調部１６１に渡す。
【００２３】
復調部１６１は、受信データ２０の復調処理を行う。ここで受信データ２０の構造について説明する。図２は、受信データ２０のデータ構造を示す。図２に示すように、受信データ２０は、制御データ区間２１と、ユーザデータ区間２２とを有する。制御データ区間２１は、振幅の変化を伴わない変調方式で変調される。振幅の変化を伴わない変調方式は、例えばＱＰＳＫ、ＢＰＳＫである。制御データ区間２１は制御情報が割当てられるデータ区間であり、過度応答用ランプタイム（Ｒ）と、スタートシンボル（ＳＳ）と、プリアンブル（ＰＲ）と、同期ワード（ＵＷ）とを含む。ユーザデータ区間２２は、データ部（Ｉ）を含み、所定の変調方式で変調される。所定の変調方式は、振幅の変化を伴わない変調方式と、振幅の変化を伴う変調方式のいずれかである。振幅の変化を伴う変調方式は、例えばＱＡＭ、１６ＱＡＭ、６４ＱＡＭである。
【００２４】
制御部１６２は、受信部１６に係る各種制御を行う。制御部１６２は、利得制御部１６３から各受信データ２０を受信する。また制御部１６２は受信データ２０に係るユーザデータ区間２２の所定の変調方式が振幅の変化を伴う変調方式であるか否かを判定する。そして制御部１６２は、各受信データ２０に係るユーザデータ区間２２の所定の変調方式が振幅の変化を伴う変調方式であると判定した場合、各受信データ２０における電力測定区間を制御データ区間２１に設定し、当該電力測定区間で測定した受信電力に基づき、最大振幅を算出する。好適には制御データ区間における電力測定区間は、プリアンブル（ＰＲ）の区間（プリアンブル区間）であり、電力測定はプリアンブル区間により行う。そして制御部１６２は、算出した各受信データ２０の最大振幅を、利得制御部１６３に渡す。
【００２５】
一方、制御部１６２は、各受信データ２０に係るユーザデータ区間２２の所定の変調方式が、振幅の変化を伴う変調方式ではない場合、各受信データ２０における電力測定区間をユーザデータ区間２２に設定し、当該電力測定区間で測定した受信電力に基づき、最大振幅を算出する。そして制御部１６２は、算出した各受信データ２０の最大振幅を、利得制御部１６３に渡す。
【００２６】
利得制御部１６３は、各アナログ／デジタル変換部１３から受取った受信データ２０を、制御部１６２に渡す。また利得制御部１６３は、各受信データ２０の最大振幅を制御部１６２から受取る。利得制御部１６３は、制御部１６２から受取った各受信データ２０の最大振幅に基づき、各増幅部１２の次フレームで受信した受信データの増幅に係る利得を制御する。
【００２７】
次に、実施の形態１に係る受信装置１について、図３に示すフローチャートによりその動作を説明する。
【００２８】
はじめに制御部１６２は、受信データ２０に係るユーザデータ区間２２の所定の変調方式が振幅の変化を伴う変調方式であるか否かを判定する（ステップＳ１１）。所定の変調方式が振幅の変化を伴う変調方式である場合、ステップＳ１２に進む。一方、所定の変調方式が振幅の変化を伴う変調方式でない場合、ステップＳ１３に進む。
【００２９】
制御部１６２は、各受信データ２０に係るユーザデータ区間２２の所定の変調方式が振幅の変化を伴う変調方式であると判定した場合、各受信データ２０における電力測定区間を制御データ区間２１に設定する（ステップＳ１２）。好適には制御データ区間における電力測定区間は、プリアンブル区間であり、電力測定はプリアンブル区間により行う。そしてステップＳ１４に進む。
【００３０】
一方ステップＳ１１において、制御部１６２が各受信データ２０に係るユーザデータ区間２２の所定の変調方式が振幅の変化を伴う変調方式でないと判定した場合、各受信データ２０における電力測定区間をユーザデータ区間２２に設定する（ステップＳ１３）。そしてステップＳ１４に進む。
【００３１】
ステップＳ１２又はステップＳ１３に続いて制御部１６２は、電力測定区間で測定した受信電力に基づき、最大振幅を算出する（ステップＳ１４）。そして制御部１６２は、算出した各受信データ２０の最大振幅を、利得制御部１６３に渡す。
【００３２】
続いて利得制御部１６３は、制御部１６２から受取った各受信データ２０の最大振幅に基づき、各増幅部１２の次フレームで受信した受信信号の増幅に係る利得を制御する（ステップＳ１５）。そして処理が終了する。
【００３３】
このように本発明によれば、制御部１６２が受信データ２０の変調方式に応じて電力測定区間を設定して当該区間の受信電力に基づき最大振幅を算出し、利得制御部１６３が当該最大振幅に基づき利得制御するため、受信データの変調方式にかかわらず適応的に利得を制御することができる。
【００３４】
なお図１では、受信装置１は受信アンテナ１１を複数備える構成を示したがこれに限られず、受信アンテナ１１を１つのみ備える構成であってもよい。この場合、増幅部１２、アナログ／デジタル変換部１３も１つのみとなる。またこの場合、アンテナ毎の重み付け及び合成が不要であるため、受信装置１は乗算部１４及び合成部１５を備えない。そのためアナログ／デジタル変換部１３は、受信データ２０を受信部１６の復調部１６１と、利得制御部１６３とに渡す。
【００３５】
（実施の形態２）
以下に、本発明の実施の形態２について説明をする。図４は、実施の形態２に係る受信装置１ｂのブロック図を示す。実施の形態１と同一の構成については同一の符号を付し、説明は省略する。実施の形態２に係る受信装置１ｂは、概略として、制御部１６２ｂ及び利得制御部１６３ｂがフェージングを考慮して利得を制御する点が実施の形態１と相違する。
【００３６】
実施の形態２に係る制御部１６２ｂは、受信データ２０のユーザデータ区間２２におけるフェージングの有無を判定する。そして制御部１６２ｂは、フェージングが生じていると判定した場合、制御データ区間２１における受信電力に基づき最大振幅を算出する。好適には制御部１６２ｂは、プリアンブル区間における受信電力をもとに、最大振幅を算出する。そして制御部１６２ｂは、制御データ区間２１から算出した最大振幅及びユーザデータ区間２２から算出した最大振幅により次フレームの予測電力を算出する。好適には制御部１６２ｂは、制御データ区間２１から算出した最大振幅とユーザデータ区間２２から算出した最大振幅とに基づく時間に対する振幅の増分により、次フレームの受信信号の予測電力を算出する。制御部１６２ｂは、算出した予測電力を利得制御部１６３ｂに渡す。そして利得制御部１６３ｂは、当該予測電力に基づき、各増幅部１２の利得を制御する。
【００３７】
次に、実施の形態２に係る受信装置１ｂについて、図５に示すフローチャートによりその動作を説明する。実施の形態１に係る受信装置１と同一の動作については同一の符号を付し、説明は省略する。
【００３８】
ステップＳ１３において、制御部１６２ｂが各受信データ２０における電力測定区間をユーザデータ区間２２に設定した後、制御部１６２ｂは、電力測定区間、すなわちユーザデータ区間２２で測定した受信電力に基づき、最大振幅を算出する（ステップＳ２４）。そして制御部１６２は、算出した各受信データ２０の最大振幅を、利得制御部１６３に渡す。
【００３９】
続いて制御部１６２ｂは、受信データ２０のユーザデータ区間２２におけるフェージングの有無を判定する（ステップＳ２５）。フェージングが生じていないと判定した場合、ステップＳ１５に移行し、利得制御部１６３ｂが、制御部１６２ｂから受け取った各受信データ２０の最大振幅に基づき、各増幅部１２の次フレームで受信した受信信号の増幅に係る利得を制御して、処理は終了する。
【００４０】
ステップＳ２５において制御部１６２ｂが、フェージングが生じていると判定した場合、制御部１６２ｂは、制御データ区間２１における受信電力に基づき最大振幅を算出する（ステップＳ２６）。好適には制御部１６２ｂは、プリアンブル区間における受信電力をもとに、最大振幅を算出する。そして制御部１６２ｂは、制御データ区間２１における受信電力から算出した最大振幅と、ユーザデータ区間２２から算出した最大振幅とに基づき、次フレーム受信信号の予測電力を算出する（ステップＳ２７）。制御部１６２ｂは、算出した予測電力を利得制御部１６３ｂに渡す。
【００４１】
続いて利得制御部１６３ｂは、制御部１６２ｂから受取った予測電力に基づき、各増幅部１２の利得を制御する（ステップＳ２８）。
【００４２】
このように実施の形態２にかかる受信装置１ｂによれば、制御部１６２ｂがユーザデータ区間２２におけるフェージングの有無を判定し、フェージングが生じていると判定した場合にはフェージングの影響を考慮した次フレームの予測電力を算出し、利得制御部１６３ｂが利得を制御するため、受信データの変調方式及びフェージングの影響を考慮して適応的に利得を制御することができる。
【００４３】
（実施の形態３）
以下に、本発明の実施の形態３について説明をする。図６は、実施の形態３に係る受信装置１ｃのブロック図を示す。実施の形態２と同一の構成については同一の符号を付し、説明は省略する。実施の形態３に係る受信装置１ｃは概略として、実施の形態２の構成に加えて、記憶部１７を備える点が実施の形態２と相違する。
【００４４】
記憶部１７は、直近のフレームで増幅処理を行った際の最大振幅を記憶する。制御部１６２ｃは、ユーザデータ区間２２におけるフェージングの有無を判定する。そして制御部１６２ｃは、フェージングが生じていると判定した場合、制御データ区間２１における受信電力に基づき最大振幅を算出する。好適には制御部１６２ｃは、プリアンブル区間における受信電力をもとに、最大振幅を算出する。また制御部１６２ｃは、直近のフレームで増幅処理を行った際の最大振幅を記憶部１７から読み出す。制御部１６２ｃは、記憶部１７に記憶された直近のフレームで増幅処理を行った際の最大振幅と、制御データ区間２１から算出した最大振幅と、ユーザデータ区間２２から算出した最大振幅に基づき次フレームの予測電力を算出する。制御部１６２ｃは、算出した予測電力を利得制御部１６３ｃに渡す。そして利得制御部１６３ｃは、当該予測電力に基づき、各増幅部１２の利得を制御する。
【００４５】
次に、実施の形態３に係る受信装置１ｃについて、図７に示すフローチャートによりその動作を説明する。実施の形態２に係る受信装置１ｂと同一の動作については同一の符号を付し、説明は省略する。
【００４６】
ステップＳ２６の後、制御部１６２ｃは、直近のフレームで増幅処理を行った際の最大振幅を記憶部１７から読み出す（ステップＳ３７）。
【００４７】
続いて制御部１６２ｃは、記憶部１７に記憶された直近のフレームで増幅処理を行った際の最大振幅と、制御データ区間２１から算出した最大振幅と、ユーザデータ区間２２から算出した最大振幅に基づき次フレームの予測電力を算出する（ステップＳ３８）。制御部１６２ｃは、算出した予測電力を利得制御部１６３ｃに渡す。
【００４８】
続いて利得制御部１６３ｃは、制御部１６２ｃから受取った予測電力に基づき、各増幅部１２の利得を制御する（ステップＳ２８）。
【００４９】
このように実施の形態３にかかる受信装置１ｃによれば、制御部１６２ｃがユーザデータ区間２２におけるフェージングの有無を判定し、フェージングが生じていると判定した場合には、直近のフレームで増幅処理を行った際の最大振幅も考慮して次フレームの予測電力を算出し、利得制御部１６３ｂが利得を制御するため、受信データの変調方式及びフェージングの影響を考慮して適応的に利得を制御することができる。
【００５０】
なお、記憶部１７には、直近のフレームで増幅処理を行った際の最大振幅を記憶する例を示したがこれに限られない。記憶部１７には、直近の複数のフレームで増幅処理を行った際の複数の最大振幅を記憶してもよい。この場合、制御部１６２ｃは、記憶部１７に記憶された当該複数の最大振幅と、制御データ区間２１から算出した最大振幅と、ユーザデータ区間２２から算出した最大振幅に基づき次フレームの予測電力を算出する。
【００５１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００５２】
１    受信装置
１１  受信アンテナ
１２  増幅部（ＡＭＰ）
１３  アナログ／デジタル変換部（Ａ／Ｄ）
１４  乗算部
１５  合成部
１６  受信部
１７  記憶部
２０  受信データ
２１  制御データ区間
２２  ユーザデータ区間
１６１  復調部
１６２  制御部
１６３  利得制御部
１ｂ    受信装置
１６２ｂ  制御部
１６３ｂ  利得制御部
１ｃ    受信装置
１６２ｃ  制御部
１６３ｃ  利得制御部
【図１】
2014107728.tif 000003
【図２】
2014107728.tif 000004
【図３】
2014107728.tif 000005
【図４】
2014107728.tif 000006
【図５】
2014107728.tif 000007
【図６】
2014107728.tif 000008
【図７】
2014107728.tif 000009
【図８】
2014107728.tif 000010